(57)【要約】      （修正有）【課題】熱輸送の効率が低下するのを抑制することのできる冷却装置を提供する。【解決手段】磁性流体が充填されループ形状で構成される循環流路２１と、循環流路途中に配された磁場を印加する第１の磁場印加部２７と循環流路に発熱源（光源ユニット１４）の熱を伝導する熱伝導部２３と、磁性流体を含む循環流路の冷却を行う冷却部２４、２５と、予め磁性流体が充填されたチャンバー２１ｂと、循環経路から分岐し、磁性流体が流入する流入経路２１ｃと、循環経路に合流させる流出経路２１ｄとを有する分岐流路２１ａと、分岐流路と循環流路間の磁性流体の流入及び流出を調整する調整弁２６ａ、２６ｂと、循環流路内の磁性流体の温度を検出する温度検出部２８とを有する。得られた結果が第１の所定温度以下の場合は調整弁を閉状態とし、第１の所定温度以上になった場合は調整弁を開状態とし、分離流路の磁性流体が循環流路内の磁性流体と混合するように制御する。【選択図】図１
2019070456.tif 000002
【特許請求の範囲】
【請求項１】
磁性流体が充填されループ形状で構成される循環流路と、
前記循環流路途中に配された磁場を印加する第１の磁場印加部と、
前記第１の磁場印加部近傍の磁性流体を含む循環流路に発熱源の熱を伝導する熱伝導部と、
前記循環流路途中であり前記第１の磁場印加部とは異なる箇所に配され磁性流体を含む前記循環流路の冷却を行う冷却部と、
前記循環流路途中に設けられ、予め磁性流体が充填されたチャンバーと、循環経路から分岐し磁性流体が流入する流入経路と、循環経路に合流させる流出経路とを有する分岐流路と、
前記分岐流路と循環流路間の磁性流体の流入、及び流出を調整する調整弁と、
前記循環流路内の磁性流体の温度を検出する温度検出手段とを有し、
前記温度検出手段より得られた結果が第１の所定温度以下の場合は調整弁を閉状態とし、第１の所定温度以上になった場合は調整弁を開状態とし前記分離流路の磁性流体が前記循環流路内の磁性流体と混合させることを特徴とする冷却装置。
【請求項２】
前記磁性流体の循環する方向を順方向とした時、前記分岐流路は前記冷却部から前記第１の磁場印加部への順方向の経路途中に配することを特徴とする請求項１に記載の冷却装置。
【請求項３】
前記調整弁は前記分岐流路の流出経路または流入経路の少なくとも一方に設けられことを特徴とする請求項１または２に記載の冷却装置。
【請求項４】
前記調整弁が配された前記分岐流路の流出経路近傍に第２の磁場印加部を有することを特徴とする請求項１乃至３のいずれか１項に記載の冷却装置。
【請求項５】
前記調整弁が開状態において、前記温度検出手段より得られた結果が第２の所定温度以上に達した場合は再度調整弁を閉状態とすることを特徴とする請求項１乃至４のいずれか１項に記載の冷却装置。
【請求項６】
前記磁性流体の循環する方向を順方向とした時、前記温度検出手段は前記冷却部から前記分岐流路への順方向の経路途中に配することを特徴とする請求項１乃至５のいずれか１項に記載の冷却装置。
【請求項７】
請求項１乃至６のいずれか１項に記載の冷却装置を備えることを特徴とする電子機器。
【発明の詳細な説明】
【技術分野】
【０００１】
本発明は冷却装置、及び冷却装置を有する電子機器に関する。
【背景技術】
【０００２】
近年、電子機器の高性能化、小型化により、電子機器の動作中の発熱が問題となっており、発熱対策として様々な手法が提案されている。
【０００３】
電子機器における発熱対策手法の一つとして、特許文献１では磁場を印加させ磁性流体をループ形状の配管内で循環させることで電子機器の発熱源の熱を冷却部に輸送する手法が提案されている。磁性流体は発熱源により温められることで磁化が低下し、それを利用して磁場により循環させることで熱を輸送することができ、発熱源の温度が高い場合に効率的に熱を輸送することができる。
【先行技術文献】
【特許文献】
【０００４】
【特許文献１】特開２００１−７７５７１号公報
【発明の概要】
【発明が解決しようとする課題】
【０００５】
しかしながら、上述の従来技術では、次のような課題がある。磁性流体循環を利用した手法では、磁場を印加する磁石が配置された配管内の、熱源が接する側ともう一方の側の磁性流体の温度差が大きいと、ループ内を循環する磁性流体の流速が上がることが知られている。磁性流体循環の冷却装置では、磁性流体によって輸送される熱を、発熱源とは別の位置に配されたフィンやファン等の冷却部で冷却し、温度の下がった磁性流体が再度ループ内を循環させ、発熱部に送る。
【０００６】
この時、冷却部により磁性流体の熱を十分に下げることができていれば、配管ループ内の磁性流体の速度を保つことができるが、磁性流体の熱が十分に下がっていないと、磁石が配された配管の前後で磁性流体の温度差が低くなる。その結果、磁石前後での磁性流体の磁化の差が小さくなるので、磁性流体の流速が下がってしまう。一方、配管のループの容積が大きく磁性流体の容量が十分に大きければ、磁性流体の熱容量によりため込むことのできる熱量も大きくなるので、ループ内の磁性流体の温度も上昇しにくくなる。しかし、配管の経路長が長くしたり径を太くすると磁性流体を運ぶために必要な圧力が大きくなり、流速が下がり、熱輸送の効率が低下する。
【０００７】
そこで本発明の目的は、磁性流体の循環を利用した冷却装置で、熱輸送の効率が低下するのを抑制することのできる冷却装置を提供することにある。
【課題を解決するための手段】
【０００８】
上記目的を達成するために、本発明は、磁性流体が充填されループ形状で構成される循環流路と、前記循環流路途中に配された磁場を印加する第１の磁場印加部と、前記第１の磁場印加部近傍の磁性流体を含む循環流路に発熱源の熱を伝導する熱伝導部と、前記循環流路途中であり前記第１の磁場印加部とは異なる箇所に配され磁性流体を含む前記循環流路の冷却を行う冷却部と、前記循環流路途中に設けられ、予め磁性流体が充填されたチャンバーと、循環経路から分岐し磁性流体が流入する流入経路と、循環経路に合流させる流出経路とを有する分岐流路と、前記分岐流路と循環流路間の磁性流体の流入、及び流出を調整する調整弁と、前記循環流路内の磁性流体の温度を検出する温度検出手段とを有し、前記温度検出手段より得られた結果が第１の所定温度以下の場合は調整弁を閉状態とし、第１の所定温度以上になった場合は調整弁を開状態とし前記分離流路の磁性流体が前記循環流路内の磁性流体と混合させるよう冷却装置を制御することを特徴とする。
【発明の効果】
【０００９】
本発明によれば、磁性流体の循環を利用した冷却装置で、熱輸送の効率が低下するのを抑制することができる。
【図面の簡単な説明】
【００１０】
【図１】第１の実施例における電子機器を表す模式図。
【図２】第１の実施例における冷却装置部を表す模式図。
【図３】従来の冷却装置の構成を説明する模式図。
【発明を実施するための形態】
【００１１】
以下に、本発明の好ましい実施の形態を、添付の図面に基づいて詳細に説明する
［実施例１］
以下、図１から図３を参照して、本発明の第１の実施例による磁性流体循環冷却装置を有する電子機器について説明する。
【００１２】
図１は本発明における電子機器であるプロジェクタの構成を表している。図１において、１はプロジェクタを、１１はプロジェクタ１の筐体を、１２は回路素子が実装されたプロジェクタの制御部を含む制御基板を、１４はランプ１４ａを有する光源ユニットを、１３は光源ユニット１４を含む照明光学系を、１５は照明光学系からの出射光を入射するＲ・Ｇ・Ｂの３色用の液晶パネルを備えた色分離合成光学系を、１６は色分離合成光学系からの出射光を入射して不図示のスクリーン（被投射面）に画像を投射する投射レンズユニットを、１８は遠心ファンユニットを、１９は電源ユニットを示している。
【００１３】
次に、プロジェクタ１内の磁性流体循環冷却装置の構成について述べる。２１は磁性流体が充填されたループ構造をなす循環流路を示しており、点線で囲った２１ａは循環流路途中にある分岐流路を、２１ｂは分岐流路内の磁性流体が充填されたチャンバーを示している。２１ｃは矢印の方へチャンバー２１ｂに磁性流体が流入する流入経路であり、２１ｄはチャンバー２１ｂから循環流路の途中に合流して磁性流体を流す流出経路である。流入経路２１ｃ、流出経路２１ｄには流路を流れる磁性流体の流量を制御する調整弁２６ａ、２６ｂが配されている。
【００１４】
さらに、流出経路２１ｄ近傍には、磁場を印加する第２の磁場印加部である電磁石２７が配される。さらに、２２は磁場を印加する第１の磁場印加部である永久磁石を、２３は光源ユニットの熱を循環流路に伝える熱伝導部材を、斜線部２４は循環流路内を通り磁性流体で輸送された熱の放熱を行うフィンユニットを、２５は筐体１１外の空気を取り込みフィンユニット２４に空気を送るファンを、２８は循環経路の磁性流体の温度を測る温度検出手段を示している。フィンユニット２４は放熱を行う多数のフィンが立てられたフィン部と、反対面の循環流路２１からの熱を受け取る受熱部を有する。
【００１５】
フィンユニット２４とファン２５を合わせて冷却部とする。上述した２１から２８が本発明の冷却装置である磁性流体循環冷却装置にあたる。なお、図１において、本発明の要部ではない部品については図示を省略したが、プロジェクタ１内にはそのほかの機能を有するユニットも搭載されている。
【００１６】
プロジェクタ１は照明光学系１３内の光源ユニット１４から発せられた射出光が、色分離合成光学系１５に入射される。そして、入射光は色分離合成光学系１５を通過し、色分離合成光学系１５内の液晶表示パネルに表示した画像が投射レンズユニットを介して、スクリーンに投射される。照明光学系１３のランプ１４ａの発光制御、色分離合成光学系１５の表示制御等が、制御基板１２内の制御部で行われる。プロジェクタ１の駆動時において、照明光学系１３内の光源ユニット１４と色分離合成光学系１５の液晶パネルが主な発熱源となる。
【００１７】
色分離合成光学系１５の液晶パネルは、遠心ファン１８から矢印で示すようにダクトを通じて運ばれた空気により冷却され、図１の筐体右側から空気が外部に送出される。一方、光源ユニット１４の熱は、磁性流体循環冷却装置により輸送され冷却される。
【００１８】
次に、本発明の要部である磁性流体循環冷却装置の動作について説明する。図２は図１のプロジェクタ内の磁性流体循環冷却部のみを抽出して示している。永久磁石２２は、循環流路２１の途中に配置され、循環流路２１を内に磁場を発生させる。永久磁石２２近傍の循環流路２１には光源ユニット１４に当接している熱伝導部材２３が流路を包み込むように配置され、光源ユニット１４で発生した発熱を輸送し、循環流路２１内の磁性流体を加熱する。熱伝導部材２３は熱伝導率の高いアルミや銅といった金属部品や、柔軟性を有するグラファイトシートなどが望ましい。
【００１９】
熱伝導部材２３は図２に示すように永久磁石２２の極性の切り替わる中央線２２ａを境に、右側部分の循環流路２１の外側に接触している。プロジェクタ１が駆動して、光源ユニット１４が照射を行い発熱が発生すると、永久磁石２２の中央線２２ａの右側の磁性流体が暖められて磁化が低下するため、永久磁石２２の磁場により磁性流体は右側に進む力を受け、循環流路内２１を矢印の方向に移動を始める。このようにして、光源ユニット１４の熱を循環流路２１を介して輸送する。
【００２０】
熱せられた磁性流体は循環流路２１内を矢印の方向に進み、フィンユニット２４に到達すると、フィンユニット２４の受熱部を介しフィン部に熱が伝わる。ファン２５を駆動することで熱が伝わったフィン部に空気が送られることで冷却が行われ、磁性流体の温度が下げられる。分岐流路部２１ａは循環流路２１の途中に配されており、磁性流体が図２で示す矢印方向の循環を順方向とする時、前記冷却部から前記第１の磁場印加部への順方向の経路途中に配される。そして、フィンユニット２４側に循環流路２１から分岐しチャンバー２１ｂに繋がる流入経路２１ｃが、永久磁石２２側にチャンバー２１ｂから循環流路２１に合流する流出経路２１ｄが配される。
【００２１】
流入経路２１ｃ、流出経路２１ｄに配された調整弁２６ａ、２６ｂが閉状態では、循環流路２１の磁性流体はチャンバー２１ｂに流れることはない。一方、開状態では循環流路２１の磁性流体の一部が流入経路２１ｃを経由しチャンバー２１ｂへ流れ込み、流出経路２１ｄを経由し循環経路２１と合流する。調整弁２６ａ、２６ｂは、基本的に閉状態と開状態の２状態しかなく、二つとも同時に開状態、又は閉状態に制御され、プロジェクタ１が起動した段階では閉状態にある。
【００２２】
電磁石２７は流出経路２１ｄと循環経路２１の境界付近に配され、調整弁２６ａ、２６ｂが閉状態では電流の流れないＯＦＦの状態にされ、調整弁２６ａ、２６ｂが開状態では電流が流れるＯＮの状態に切換えられ、磁場を印加する。温度検出手段２８は循環流路２１内の磁性流体の温度を検出し、制御基板１２に設けられた制御部へ結果を送る。検出結果が所定以下の温度の場合は、調整弁２６ａ、２６ｂを閉状態に制御するが、所定温度以上になった場合は、調整弁２６ａ、２６ｂを開状態に切換え、チャンバー２１ｂに循環流路２１を流れる磁性流体が流れ込むようにする。本発明は、このように温度検出結果に合わせて、分岐流路への流入を調整弁２６で制御している。
【００２３】
次に、分岐流路の無い場合、分岐流路に調整弁がない場合について説明し、本発明の効果について述べる。図３はその他の循環流路冷却装置の構成を示す図であり、図３（ａ）は従来の循環流路２１内に分岐流路がない場合の構成であり、図３（ｂ）は循環流路２１内に分岐流路があるが調整弁がない場合の構成を示す図である。図２の磁性流体循環冷却装置と同じ機能を有するものについては同じ番号を付してある。
【００２４】
まず、図３（ａ）の磁性流体循環冷却装置に循環流路２１内に分岐流路がない場合について説明する。図３（ａ）の磁性流体循環冷却装置において、図２とは異なり循環流路２１の途中には分岐流路２１ａ、調整弁２６ａ、２６ｂ、電磁石２７が存在しない。この場合、電子機器が起動し発熱部の温度が上昇すると、従来通り熱伝導部材２３を介して循環流路２１内の磁性流体に熱が伝わる。そして、永久磁石２２が印加する磁場により磁性流体が循環流路２１を循環し、熱を冷却部に輸送する。
【００２５】
しかしながら、発熱部の発熱量が多く、冷却部で十分に磁性流体の温度を下げられない時、十分に温度の下がっていない磁性流体は、循環流路２１を移動し永久磁石２２の左側（熱伝導部材２３が接していない側）に戻ってくる。磁性流体循環冷却装置は、永久磁石２２が印加する磁場の境界の左右で、磁性流体の温度差が大きいほど、左右での磁性流体の磁化の差が大きくなり、磁性流体の流速が上がる。よって、磁性流体の温度差が少ない場合は磁性流体の流速が下がり、熱輸送の効率が下がってしまう。
【００２６】
次に、図３（ｂ）の循環流路２１内に分岐流路があるが、調整弁２６がない場合について説明する。図３（ｂ）の磁性流体循環冷却装置において、図２とは異なり循環流路２１の途中には分岐流路２１ａは配されるが、調整弁２６ａ、２６ｂ、電磁石２７が存在しない。電子機器が起動すると、熱伝導部材２３を介して発熱部の熱が輸送され、循環流路２１内を磁性流体が循環する。そして、磁性流体は冷却部であるフィンユニット２４部を通過したのち、分岐流路２１ａにも磁性流体が流れ、チャンバー２１ｂ内の磁性流体も共に循環流路２１内を循環する。
【００２７】
図３（ａ）の場合に比べて、循環流路２１内の途中に分岐流路２１ａがあるため、循環流路２１の容積は大きくなり、磁性流体２１の熱容量によるため込める熱量も増える。つまり、冷却部で十分に磁性流体の温度が下がられなかった場合でも、循環流路内の熱容量が大きいので、時間当たりの磁性流体全体の温度上昇量は抑えられる。よって、永久磁石２２の方に戻っていく磁性流体の温度は抑えられ、永久磁石２２が印加する磁場の境界の左右での温度差は図３（ａ）の場合に比べて大きく、磁性流体の流速の低下、及び熱輸送の効率の低下を防ぐことができる。
【００２８】
しかし、分岐流路２１が増えることにより、循環流路２１の全体の経路長が伸び、磁性流体量が増えるので、圧力損失が増加し、磁性流体を循環流路２１内を循環させるのに、従来よりも大きな圧力が必要となる。その結果、電子機器の起動直後から磁石の左右で十分な温度差があっても、磁化の差で発生する圧力は図３（ａ）の場合と同じなので、流速が下がってしまう。その結果、熱輸送の効率が低下する。
【００２９】
そこで、本発明実施例では循環流路２１内に分岐流路２１ａを有するとともに、分岐流路２１ａへの磁性流体の流入を制御する調整弁２６ａ、２６ｂと、磁性流体の温度を検出する温度検出手段２８を有する。そして、電子機器の起動後から循環流路２１内の磁性流体の温度が所定以上になるまでは調整弁２６ａ、２６ｂを閉状態とし、分岐流路２１ａへの磁性流体の流入を防ぎ、循環流路２１aの圧力損失による流速の低下を防ぎ、熱輸送の効率を保つ。
【００３０】
そして、磁性流体の温度が所定以上になったら、調整弁２６ａ、２６ｂを開状態とし、磁性流体が分岐流路２１ａへ流入するとともに、分岐流路２１ａに含まれるチャンバー２１ｂ内の磁性流体が循環流路２１に流れ込むようにする。調整弁２６ａ、２６ｂが閉状態では、チャンバー２１ｂ内の磁性流体は、循環していないので温度があまり上昇しておらず、冷却部を通過した磁性流体よりも、相対的に低い温度である。そこで、調整弁２６ａ、２６ｂが開状態にし、循環流路２１内の所定温度以上まで温度の上昇した磁性流体と混合されることで、永久磁石２２方向へ戻る磁性流体の温度を下げることができる。
【００３１】
その結果、永久磁石２２が印加する磁場の境界の左右での磁性流体温度の差が小さくなることを抑えることができ、流速の低下を防ぐことができる。よって、熱輸送の効率の低下を抑制することができる。さらに、図２に示すように流出経路２１ｄと循環流路との合流位置には電磁石２７が配されている。調整弁２６ａ、２６ｂが開状態で、チャンバー２１ｂ内の磁性流体が循環経路２１へ流れ込むが、この時、合流する位置の循環流路２１とチャンバー２１ｂ内の磁性流体では温度差がある。
【００３２】
そこで、流出経路２１ｄと循環流路との合流位値の電磁石２７を駆動させて磁場を印加すると、磁性流体の温度差によりチャンバー２１ｂ側から循環流路２１側へ磁性流体が流れようとする力が働く。これにより、電磁石２７がない場合よりも、チャンバー２１ｂ内の磁性流体がより早く循環流路２１内に流れ込み、さらに圧力により流入経路２１ｃ側では循環流路２１からチャンバー２１ｂへより早く流れ込む。
【００３３】
よって、温度上昇している循環流路２１内の磁性流体と温度の低いチャンバー２１ｂ内の磁性流体の混合による温度の均一化が促進され、永久磁石２２の左側に流れ込む磁性流体の温度を下げることができる。よって、永久磁石２２の磁場の境界左右での温度差を大きくすることができ、熱輸送の効率を上げることができる。
【００３４】
なお、調整弁２６ａ、２６ｂの開閉を決定する所定温度は、発熱部から熱伝導部材２３を介して伝わった熱による循環流路２１の温度、冷却部の冷却能力、分岐流路２１ａの有無による循環流路２１の圧力損失により予め定められている。よって、発熱部の温度上昇が駆動モードにより異なる場合や、冷却部の能力に起因する外気温が変動することが考えられる場合は、各モード、外気温ごとに所定温度を定めておき、変更してもよい。
【００３５】
また、本実施例では分岐流路２１ａを、磁性流体の循環する方向を順方向とした時の冷却部から第１の磁場印加部への順方向の経路途中に配した。分岐流路２１ａを磁場印加部から冷却部への順方向の経路途中に配した場合、冷却部で冷却される前の磁性流体に対し、分岐流路２１ａ内の磁性流体が混合され、磁性流体の温度が下げられことになる。フィンユニット２４とファン２５を含む冷却部は、放熱を行うフィンユニット２４のフィン部とファン２５によって送り込まれる空気の温度差が大きい方が、放熱の効率は良い。
【００３６】
しかし、冷却部での冷却前に磁性流体の温度が混合されて低下していると、放熱効率が落ちてしまう。よって、分岐流路２１ａは図２のように配置されることが望ましい。また、温度検出手段２８は冷却部での磁性流体が十分に冷却されたかを判定するので、磁性流体の循環する方向を順方向とした時の冷却部から第１の磁場印加部への順方向の経路途中に配することが望ましい。
【００３７】
以上説明したように、本発明実施例の電子機器では、磁性流体循環冷却装置の循環流路２１の途中に分岐流路２１ａ及び循環流路２１から分岐流路２１ａ内への磁性流体の流入を制御する調整弁２６ａ、２６ｂを有している。そして、温度検出手段２８による磁性流体の温度に応じて、調整弁２６ａ、２６ｂを制御することにより、分岐流路２１ａ内の磁性流体を循環流路２１へ混合するか制御し、磁場の境界の左右での磁性流体の温度差が低下することを抑えている。その結果、磁性流体循環冷却装置による熱輸送の効率が低下するのを抑制している。
【００３８】
本実施例では、流入経路２１ｃ、流出経路２１ｄの両方にそれぞれ調整弁２６ａ、２６ｂを設けたが、流入経路２１ｃの流出経路２１ｄどちらからだけでも構わない。片方の調整弁が閉じられていると、チャンバー２１ｂ内の磁性流体はほぼ移動できなくなり、調整弁のない経路側の循環流路２１からチャンバー２１ｂへ、チャンバー２１ｂから循環流路へ磁性流体が流れる量はほとんどない。よって、調整弁は流入経路２１ｃの流出経路２１ｄのどちらか一方に設けるだけでも構わない。
【００３９】
また、第２の所定温度を設けておき、調整弁２６ａ、２６ｂを開状態にした後、時間が経過し温度検出手段２８の温度検出結果が第２の所定温度以上になった場合は、調整弁２６ａ、２６ｂを閉状態にしてもよい。これは調整弁２６ａ、２６ｂを開状態にしたのち十分な時間が経過し、チャンバー２１ｂ内の磁性流体が循環流路２１内の磁性流体と十分混合され温度差が少なくなったとする。この時、分岐流路２１ａが閉状態であっても永久磁石２２の磁場の境界の左右での温度差は変わらない。
【００４０】
よって、分岐流路２１ａへの流入を止めることで、循環流路２１の流路長を短くすることができ、圧力損失を低減することができる。また、第２の所定温度を定める以外に、チャンバー内にも別に温度検出手段を配し、温度検出手段２８とチャンバー内の第２の温度検出手段の検出結果をみて、温度差が少なくなったら調整弁２６ａ、２６ｂを閉状態にしてもよい。また、調整弁２６ａ、２６ｂを閉状態に制御した際は、電磁石２７も同時に駆動停止される。
【００４１】
また、調整弁２６ａ、２６ｂが開状態では、通常の流路より分岐流路２１a側に多く磁性流体が流れた方が、磁性流体の混合が促進される。よって、少なくとも流入経路２１ｃ、２１ｄの流路の径は、通常の流路の径よりも大きくするなど、流路抵抗が低くなるようにすることが望ましい。図２では流入経路２１ｃを、循環流路２１の経路よりも流路の径が広がっていることを表現している。
【００４２】
また、第１の磁場印加部として永久磁石２２を用いたが、磁場印加が可能であればその他、電磁石等でも構わない。電磁石を用いる場合は、磁性流体の温度やプロジェクタの駆動状態に合わせて、電磁石への電流値を制御し、流速を制御することもできる。
【産業上の利用可能性】
【００４３】
以上は冷却装置の搭載される電子機器としてプロジェクタを例にして説明してきたが、その他のディスプレイ装置、携帯電話、撮像装置等発熱を行う電子機器にも展開可能である。
【符号の説明】
【００４４】
１１．筐体
１３．照明光学系
１４．光源ユニット
２１．循環流路
２１ａ．分岐流路
２１ｂ．チャンバー
２１ｃ．流入経路
２１ｄ．流出経路
２２．永久磁石
２３．熱伝導部材
２４．フィンユニット
２５．ファン
２６．調整弁
２７．電磁石
【図１】
2019070456.tif 000003
【図２】
2019070456.tif 000004
【図３】
2019070456.tif 000005